(57)【要約】【課題】従来の視野計は、黄斑領域に対する視野欠損領域の比率を算出しない。従来の視野計では、被験者の黄斑領域に対する視野欠損の程度が数的に把握されない。【解決手段】視野探査画面生成手段と、固視標表示制御手段と、探査領域設定手段と、探査点設定手段と、視標表示制御手段と、第一計数手段と、第二検出手段と、第二計数手段と、前記第二計数手段により計数され、記憶装置に記憶された回数を、前記第一計数手段により計数され、記憶装置に記憶された総数で除算する視野欠損指数算出手段と、を備え、探査領域は、主に黄斑領域に限局して設定されることを特徴とするので、本発明、黄斑領域視野欠損指数算出装置は、黄斑領域に対する視野欠損領域の比率を、指標として算出することができ、黄斑領域に対する視野欠損の程度を数的に把握することを可能にする。【選択図】図６
2010068821.tif 000002
【特許請求の範囲】
【請求項１】
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段と、
を備えることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする黄斑領域視野欠損指数算出装置。
【請求項２】
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムであることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【請求項３】
静的視標により被験者の視野を探査するための視野探査画面を出力装置に生成する視野探査画面生成手段によるステップと、
視野探査中、被験者に凝視される固視標を、前記視野探査画面生成手段によるステップにより生成される視野探査画面に表示する固視標表示制御手段によるステップと、
該固視標表示制御手段によるステップにより表示される固視標を取り囲む円形状の領域内を、
静的視標により被験者の視野を探査する探査領域として設定する探査領域設定手段によるステップと、
該探査領域設定手段によるステップにより設定される探査領域内に、複数の探査点を、等間隔に配する探査点設定手段によるステップと、
該探査点設定手段によるステップにより設定された探査点に、該探査点に対応する視野を探査するための静的視標を順次表示する視標表示制御手段によるステップと、
該視標表示制御手段によるステップにより静的視標の表示が行われた前記探査点の総数を計数し、記憶装置に記憶する第一計数手段によるステップと、
前記視標表示制御手段によるステップにより表示される静的視標が認識されなかったことを検出する第二検出手段によるステップと、
該第二検出手段によるステップにより、前記静的視標が視覚認識不可能であったことが検出された回数を、演算装置により計数し、記憶装置に記憶する第二計数手段によるステップと、
該第二計数手段によるステップにより計数され、記憶装置に記憶された前記回数を、
前記第一計数手段によるステップにより計数され、記憶装置に記憶された前記総数で除算することにより、視野欠損指数を演算装置により算出する視野欠損指数算出手段によるステップと、
を有することを特徴とする黄斑領域視野欠損指数算出装置の作動方法であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【請求項４】
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムを記録したことを特徴とするコンピュータ読み取り可能な記録媒体であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【発明の詳細な説明】
【技術分野】
【０００１】
本発明は、黄斑領域視野欠損指数算出装置、黄斑領域視野欠損指数算出装置作動方法、黄斑領域視野欠損指数算出装置を実現させるプログラム、及びコンピュータに読み取り可能な記録媒体に関する。
【背景技術】
【０００２】
従来の視野計には次のような物がある。
Goldmannperimeter、５１０型（１９４５年）、９４０型（１９６７年）、Tubinger perimeter（１９５７年）、Octopus perimeter（１９７６年）。（例えば、非特許文献１参照。）。
【０００３】
従来の視野計を説明する。Goldmann perimeterは最初の明度視野計、手動同時記録式であり、視標輝度は4から60種、視標視角は6種、視角視野、背景輝度の調整が可能。欠点は5°以内の中心部測定が不可能であること。Tubinger perimeter（１９５７年）は最初の実用的静視野計である。動的視野、色視野、フリッカー視野など測定できる。手動同時記録式。視標輝度80種、固視標輝度100種、色5種、背景輝度6種。中心視力、中心外視力測定。欠点は視標移動の操作が難しいこと、視標、固視標、背景照明灯の調整が難しいこと。Octopus perimeter（１９７６年）は世界最初の全自動静視野計。
【０００４】
【非特許文献１】最新医学大辞典（１９８７、１９９０年）、医歯薬出版株式会社。
【発明の開示】
【発明が解決しようとする課題】
【０００５】
従来の視野計は、黄斑領域に対する視野欠損領域の比率を算出しない。
従来の視野計では、被験者の黄斑領域に対する視野欠損の程度が数的に把握されない。
【０００６】
そこで、本発明の目的は、黄斑領域に対する視野欠損領域の比率を算出する黄斑領域視野欠損指数算出装置を提供することにある。
【課題を解決するための手段】
【０００７】
上記の目的を達成するために、
請求項１に記載の発明は、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段と、
を備えることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする黄斑領域視野欠損指数算出装置。
【０００８】
請求項２に記載の発明は、
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムであることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【０００９】
請求項３に記載の発明は、
静的視標により被験者の視野を探査するための視野探査画面を出力装置に生成する視野探査画面生成手段によるステップと、
視野探査中、被験者に凝視される固視標を、前記視野探査画面生成手段によるステップにより生成される視野探査画面に表示する固視標表示制御手段によるステップと、
該固視標表示制御手段によるステップにより表示される固視標を取り囲む円形状の領域内を、
静的視標により被験者の視野を探査する探査領域として設定する探査領域設定手段によるステップと、
該探査領域設定手段によるステップにより設定される探査領域内に、複数の探査点を、等間隔に配する探査点設定手段によるステップと、
該探査点設定手段によるステップにより設定された探査点に、該探査点に対応する視野を探査するための静的視標を順次表示する視標表示制御手段によるステップと、
該視標表示制御手段によるステップにより静的視標の表示が行われた前記探査点の総数を計数し、記憶装置に記憶する第一計数手段によるステップと、
前記視標表示制御手段によるステップにより表示される静的視標が認識されなかったことを検出する第二検出手段によるステップと、
該第二検出手段によるステップにより、前記静的視標が視覚認識不可能であったことが検出された回数を、演算装置により計数し、記憶装置に記憶する第二計数手段によるステップと、
該第二計数手段によるステップにより計数され、記憶装置に記憶された前記回数を、
前記第一計数手段によるステップにより計数され、記憶装置に記憶された前記総数で除算することにより、視野欠損指数を演算装置により算出する視野欠損指数算出手段によるステップと、
を有することを特徴とする黄斑領域視野欠損指数算出装置の作動方法であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【００１０】
請求項４に記載の発明は、
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムを記録したことを特徴とするコンピュータ読み取り可能な記録媒体であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とする。
【発明の効果】
【００１１】
第一の発明である黄斑領域視野欠損指数算出装置によれば、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段と、
を備えることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とするので、
本発明、黄斑領域視野欠損指数算出装置によれば、視野欠損の指標として、黄斑領域に対する視野欠損領域の比率を算出することができる。
また、本発明、黄斑領域視野欠損指数算出装置によれば、黄斑領域に対する視野欠損の程度を数的に把握することができる。
【００１２】
第二の発明である黄斑領域視野欠損指数算出装置を実現させるプログラムによれば、
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムであることを特徴とし、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とするので、
プログラムを実行することにより、黄斑領域視野欠損指数算出装置を実現させることができ、視野欠損の指標として、黄斑領域に対する視野欠損領域の比率を算出することができる。また、黄斑領域に対する視野欠損の程度を数的に把握することができる。
【００１３】
第三の発明である黄斑領域視野欠損指数算出装置の作動方法によれば、
静的視標により被験者の視野を探査するための視野探査画面を出力装置に生成する視野探査画面生成手段によるステップと、
視野探査中、被験者に凝視される固視標を、前記視野探査画面生成手段によるステップにより生成される視野探査画面に表示する固視標表示制御手段によるステップと、
該固視標表示制御手段によるステップにより表示される固視標を取り囲む円形状の領域内を、
静的視標により被験者の視野を探査する探査領域として設定する探査領域設定手段によるステップと、
該探査領域設定手段によるステップにより設定される探査領域内に、複数の探査点を、等間隔に配する探査点設定手段によるステップと、
該探査点設定手段によるステップにより設定された探査点に、該探査点に対応する視野を探査するための静的視標を順次表示する視標表示制御手段によるステップと、
該視標表示制御手段によるステップにより静的視標の表示が行われた前記探査点の総数を計数し、記憶装置に記憶する第一計数手段によるステップと、
前記視標表示制御手段によるステップにより表示される静的視標が認識されなかったことを検出する第二検出手段によるステップと、
該第二検出手段によるステップにより、前記静的視標が視覚認識不可能であったことが検出された回数を、演算装置により計数し、記憶装置に記憶する第二計数手段によるステップと、
該第二計数手段によるステップにより計数され、記憶装置に記憶された前記回数を、
前記第一計数手段によるステップにより計数され、記憶装置に記憶された前記総数で除算することにより、視野欠損指数を演算装置により算出する視野欠損指数算出手段によるステップと、
を有することを特徴とする黄斑領域視野欠損指数算出装置の作動方法であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とするので、
本発明、黄斑領域視野欠損指数算出装置の作動方法によれば、視野欠損の指標として、黄斑領域に対する視野欠損領域の比率を算出することができる。
また、本発明、黄斑領域視野欠損指数算出装置の作動方法によれば、黄斑領域に対する視野欠損の程度を数的に把握することができる。
【００１４】
第四の発明である黄斑領域視野欠損指数算出装置を実現させるプログラムを記録したコンピュータ読み取り可能な記録媒体によれば、
コンピュータを、
静的視標により被験者の視野を探査するための視野探査画面を出力装置に生成する視野探査画面生成手段と、
視野探査中、被験者に凝視される固視標を、前記視野探査画面生成手段により生成される視野探査画面に表示する固視標表示制御手段と、
該固視標表示制御手段により表示される固視標を取り囲む円形状の領域内を、静的視標により被験者の視野を探査する探査領域として設定する探査領域設定手段と、
該探査領域設定手段により設定される探査領域内に、複数の探査点を、等間隔に配する探査点設定手段と、
該探査点設定手段により設定された探査点に、該探査点に対応する視野を探査するための静的視標を順次表示する視標表示制御手段と、
該視標表示制御手段により静的視標の表示が行われた前記探査点の総数を計数し、記憶装置に記憶する第一計数手段と、
前記視標表示制御手段により表示される静的視標が認識されなかったことを検出する第二検出手段と、
該第二検出手段により、前記静的視標が視覚認識不可能であったことが検出された回数を、演算装置により計数し、記憶装置に記憶する第二計数手段と、
該第二計数手段により計数され、記憶装置に記憶された前記回数を、
前記第一計数手段により計数され、記憶装置に記憶された前記総数で除算することにより、視野欠損指数を演算装置により算出する視野欠損指数算出手段、
として機能させるプログラムを記録したことを特徴とするコンピュータ読み取り可能な記録媒体であって、
前記探査領域は、
主に黄斑領域の視野特性を探査しようとする観点に基づき限局して設定され、
前記視野欠損指数は、
主に黄斑領域の視野特性を探査しようとする観点からの視野欠損指数であることを特徴とするので、
黄斑領域視野欠損指数算出装置を実現させるプログラムを、コンピュータに、読み取り可能にすることができ、黄斑領域視野欠損指数算出装置を実現させるプログラムを実行することにより、黄斑領域視野欠損指数算出装置を実現させることができ、視野欠損の指標として、黄斑領域に対する視野欠損領域の比率を算出することができる。また、黄斑領域に対する視野欠損の程度を数的に把握することができる。
【００１５】
本発明、黄斑領域視野欠損指数算出装置は、ゴールドマン視野計のようなかさばる装置を必要とせず、簡単な構成で実現できる。
本発明、黄斑領域視野欠損指数算出装置は、５°以内の視野中心部の測定が可能である。
【発明を実施するための最良の形態】
【００１６】
本発明、黄斑領域視野欠損指数算出装置、黄斑領域視野欠損指数算出装置作動方法、黄斑領域視野欠損指数算出装置を実現させるプログラム、及びコンピュータに読み取り可能な記録媒体について、図面を参照しながら詳細に説明する。
【００１７】
まず、図１及び図２を参照して、本発明、静的視野計の構成について説明する。
図１は、本発明、黄斑領域視野欠損指数算出装置の構成の一例を表している。
図２は、本発明、黄斑領域視野欠損指数算出装置におけるＣＰＵ５０１のハードウェア構成の一例を表している。
【００１８】
図１は、コンピュータシステム３０１の概略構成を示している。
本発明、黄斑領域視野欠損指数算出装置は、コンピュータシステム３０１により、本発明、黄斑領域視野欠損指数算出装置を実現させるプログラムを実行することで実現される。
本実施形態の黄斑領域視野欠損指数算出装置を実現するコンピュータシステム３０１は、図１に示すように、後述するＣＰＵ（Ｃｅｎｔｒａｌ  Ｐｒｏｃｅｓｓｉｎｇ  Ｕｎｉｔ）５０１等を備える本体３０２と、キーボード３０３、（必要であればマウス３０６）、ディスプレイ３０４、プリンタ３０５、（必要であればスピーカ３０７）から構成されている。
【００１９】
次に、本発明、黄斑領域視野欠損指数算出装置におけるＣＰＵ５０１のハードウェア構成の一例を、図２を参照しつつ説明する。
本発明、黄斑領域視野欠損指数算出装置におけるＣＰＵ５０１は、具体的には、ＣＰＵ５０１等のマイクロプロセッサ、ＲＡＭ（Ｒａｎｄｏｍ  Ａｃｃｅｓｓ  Ｍｅｍｏｒｙ）５０２、ＲＯＭ（Ｒｅａｄ  Ｏｎｌｙ  Ｍｅｍｏｒｙ）５０３、ＨＤＤ（Ｈａｒｄ  Ｄｉｓｃ  Ｄｒｉｖｅ）５０４、キーボード３０３、マウス３０６、ディスプレイ３０４、プリンタ３０５、スピーカ３０７及び通信インターフェースを含んで構成される。
以上の各部分は、バス５０５により接続されている。
（ＨＤＤ５０４は入出力インターフェースを経てバス５０５に接続されている。）
キーボード３０３は入出力インターフェースを経てバス５０５に接続されており、キーボード３０３からの入力をＣＰＵ５０１に出力することができる。
ディスプレイ３０４は入出力インターフェースを経てバス５０５に接続されており、ＣＰＵ５０１からのイメージデータの入力をディスプレイ３０４に出力することができる。
プリンタ３０５は入出力インターフェースを経てバス５０５に接続されており、ＣＰＵ５０１からの入力をプリンタ３０５により出力することができる。
（スピーカ３０７は入出力インターフェースを経てバス５０５に接続されており、ＣＰＵ５０１からの入力をスピーカ３０７により出力することができる。）
（マウス３０６は入出力インターフェースを経てバス５０５に接続されており、マウス３０６からの入力をＣＰＵ５０１に出力することができる。）
【００２０】
ＣＰＵ５０１は、ＨＤＤ（Ｈａｒｄ  Ｄｉｓｃ  Ｄｒｉｖｅ）５０４に格納された本発明、黄斑領域視野欠損指数算出装置を実現させるプログラムを、ＲＡＭ５０２上に展開することにより、本実施形態に特徴的な動作を実行する。
【００２１】
ＣＰＵ５０１は、本発明、黄斑領域視野欠損指数算出装置を実現させるプログラムに従って、本発明、黄斑領域視野欠損指数算出装置の制御や、各種の演算処理などを実行する。
ＣＰＵ５０１は、ディスプレイ３０４（出力装置の一例）による表示処理の制御を行う。
（例えば、具体的には、固視標及び静的視標の表示制御や、本発明、黄斑領域視野欠損指数算出装置により得られたデータから視野マッピング画像の生成を行ったりする。） 
ＣＰＵ５０１は、キーボード３０３（入力装置の一例）からの入力に応じて、本発明、黄斑領域視野欠損指数算出装置の制御を行う。
ＣＰＵ５０１は、黄斑領域視野欠損指数算出装置から得られたデータ等の出力を、プリンタ３０５等から出力させるよう制御することができる。
（必要であれば、ＣＰＵ５０１は、（例えばキーボード３０３等入力装置からの入力に応じて、あるいは例えば、静的視野探査において探査点が変わる際に、あるいは例えば、黄斑領域視野欠損指数が算出、出力される際、あるいは例えば、視野マッピング画像が出力される際、等に）スピーカ３０７（出力装置の一例）から出力を生じさせるよう制御を行うようにしてもよい。）
（ＣＰＵ５０１は、マウス３０６（入力装置の一例）からの入力に応じて、本発明、黄斑領域視野欠損指数算出装置の制御を行うようにしてもよい。）
【００２２】
キーボード３０３、（必要であればマウス３０６、）及びディスプレイ３０４は、本発明、黄斑領域視野欠損指数算出装置のユーザインターフェースとして利用される。
キーボード３０３は、例えば入力を行うためのデバイス（入力装置）として利用される。
（必要であれば、マウス３０６は、ディスプレイ３０４の表示画面に、各種の入力を行うためのデバイスとして利用される。）
【００２３】
ディスプレイ３０４は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等からなる表示デバイス（出力装置）であり、本発明、黄斑領域視野欠損指数算出装置による視野の探査を行ったり、本発明、黄斑領域視野欠損指数算出装置により算出された黄斑領域視野欠損指数を表示したり、本発明、黄斑領域視野欠損指数算出装置により生成された視野マッピング画像を表示したりする。
（必要であれば、ディスプレイ３０４に、各種の操作画面や、設定画面などを表示するようにしてもよい。）
【００２４】
また、ＣＰＵ５０１がインターネットやＬＡＮ（Ｌｏｃａｌ  Ａｒｅａ  Ｎｅｔｗｏｒｋ）等のネットワークに接続されている場合には、通信インターフェースにＬＡＮカード等のネットワークアダプタやモデム等の通信機器を具備させて、ネットワークによりデータ通信を行えるように構成することができる。その場合、本発明、黄斑領域視野欠損指数算出装置を実現させるプログラムを格納するサーバを、ネットワークに設置し、ＣＰＵ５０１をサーバのクライアント端末として構成することにより、本発明における動作を、黄斑領域視野欠損指数算出装置に実行させることができる。
【００２５】
また、本発明、黄斑領域視野欠損指数算出装置を実現させるプログラムは、コンピュータに読み取り可能な記録媒体（記憶媒体）に記憶させることができる。
このような記録媒体（記憶媒体）として、例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、半導体メモリ等がある。
【００２６】
次に、黄斑領域視野欠損指数算出装置、黄斑領域視野欠損指数算出装置作動方法、及び黄斑領域視野欠損指数算出装置を実現させるプログラムによる黄斑領域視野欠損指数算出装置の制御について、図３〜図６を参照しながら詳細に説明する。
【００２７】
図３は、本発明、黄斑領域視野欠損指数算出装置の最良の実施形態の探査及び作動態様の一例を示す図である。
図４〜図５は、本発明、黄斑領域視野欠損指数算出装置の最良の実施形態による黄斑領域視野欠損指数算出態様の一例を説明する図である。
図６は、本発明、黄斑領域視野欠損指数算出装置の最良の実施形態による黄斑領域視野欠損指数算出及び視野マッピング画像生成の態様及び画面構成の一例を示す図である。
【００２８】
ＣＰＵ５０１は、静的視標により被験者の視野を探査するための視野探査画面１を出力装置（例えばディスプレイ３０４）に生成する。
（視野探査画面生成手段である。）
【００２９】
ＣＰＵ５０１は、本発明、黄斑領域視野欠損指数算出装置を実現させるプログラムに従い、視野探査中、被験者に（例えば、片側の目により）凝視される固視標２を、前記視野探査画面生成手段により生成される視野探査画面１に表示する。
（固視標表示制御手段である。）
【００３０】
ＣＰＵ５０１は、本発明、黄斑領域視野欠損指数算出装置を実現させるプログラムに従い、固視標２を取り囲む円形状領域内を、静的視標により被験者の視野を探査する探査領域３として設定する。
（探査領域設定手段である。）
（円形状領域は、円領域に限らず、例えば、楕円形状等を呈する領域である場合があってもよい。）
【００３１】
ＣＰＵ５０１は、本発明、黄斑領域視野欠損指数算出装置を実現させるプログラムに従い、探査領域３を、主に黄斑領域の視野特性を探査しようとする観点に基づき、限局して設定する。
（ＣＰＵ５０１が、探査領域３を、黄斑領域より狭く設定する場合があってもよい。）
（ＣＰＵ５０１が、探査領域３を、標準黄斑領域より狭く設定する場合があってもよい。）
（ＣＰＵ５０１が、探査領域３を、標準黄斑領域を基準として設定する場合があってもよい。）
（ＣＰＵ５０１が、探査領域３を、黄斑領域より広く設定する場合があってもよい。）
（ＣＰＵ５０１が、探査領域３を、標準黄斑領域より広く設定する場合があってもよい。）
主に黄斑領域の視野特性を探査しようとする観点の一環として、必要であれば、所定の解像度を呈する文字や記号等を視標として、該視標が視野に解像可能であるか否か等により探査領域３を（前記所定の解像度の観点から）探索設定して限局する手段をさらに備えるとしてもよい。
【００３２】
ＣＰＵ５０１は、本発明、黄斑領域視野欠損指数算出装置を実現させるプログラムに従い、探査領域３内に、複数の探査点４を、等間隔に配する。
（探査点設定手段である。）
それら探査点４は、視野を探査する際に静的視標が順次表示される位置として配されるものであり、ＣＰＵ５０１はそれら探査点４を、視野探査画面１に明示しない。
【００３３】
ＣＰＵ５０１は、本発明、黄斑領域視野欠損指数算出装置を実現させるプログラムに従い、設定した探査点４に、該探査点に対応する視野を探査するための静的視標を（例えば被験者より該静的視標の視覚認識に関して、例えば入力装置（例えば、キーボード３０３や、マウス３０６等）を経てなされる応答に基づきつつ）順次表示する。
（視標表示制御手段である。）
【００３４】
ＣＰＵ５０１は、本発明、黄斑領域視野欠損指数算出装置を実現させるプログラムに従い、静的視標の表示が行われた前記探査点４の総数を計数し、記憶装置（例えば、ＲＡＭ５０２やＨＤＤ５０４等）に記憶する。
（第一計数手段である。）
例えば、本発明、実施の形態の一例である図４において、ＣＰＵ５０１により計数される静的視標の表示が行われた探査点４の総数とは、図４における（探査領域３内の）探査点４の全数である。
【００３５】
ＣＰＵ５０１は、本発明、黄斑領域視野欠損指数算出装置を実現させるプログラムに従い、表示する静的視標が被験者に視覚認識されなかったことを検出する。
（第二検出手段である。）
その検出は、例えば、実施の形態の一例におけるように、第二入力装置（例えば、キーボード３０３の、例えば、左矢印カーソルキー３０３Ｂ）を経て（例えば、キーボード３０３の、例えば、左矢印カーソルキー３０３Ｂ（このような場合においては、静的視標が被験者に視覚認識されたことを、例えば、右矢印カーソルキー３０３Ａを経て検出するように設定するとしてもよい。）が押されることにより）なされるように設定するとしてもよいし、あるいは、制限時間を設定する等して、その検出がなされるように設定するとしてもよい
【００３６】
ＣＰＵ５０１は、本発明、黄斑領域視野欠損指数算出装置を実現させるプログラムに従い、前記静的視標が被験者に認識されなかったとの検出を行った回数を、演算装置により計数し、記憶装置（例えば、ＲＡＭ５０２やＨＤＤ５０４等）に記憶する。
（第二計数手段である。）
例えば、本発明、実施の形態の一例である図５においては、ＣＰＵ５０１が、演算装置により計数する、前記静的視標が被験者に認識されなかったとの検出を、ＣＰＵ５０１が行った回数とは、図５に示されている探査点の（例えば）全数に等しい。
（すなわち、図５に示されている探査点は、固視標近傍に位置する暗点２０１を反映している。）
【００３７】
ＣＰＵ５０１は、本発明、黄斑領域視野欠損指数算出装置を実現させるプログラムに従い、
ＣＰＵ５０１により計数され、記憶装置（例えば、ＲＡＭ５０２やＨＤＤ５０４等）に記憶された前記回数（すなわち、前記静的視標が被験者に認識されなかったとの検出を、ＣＰＵ５０１が行った回数（すなわち、図５に示されている探査点の（例えば）全数に等しい値））を、ＣＰＵ５０１により計数され、記憶装置（例えば、ＲＡＭ５０２やＨＤＤ５０４等）に記憶された前記総数（すなわち、ＣＰＵ５０１により、静的視標の表示が行われた前記探査点４の総数（すなわち、図４における（探査領域３内の）探査点４の全数））で除算することにより、視野欠損指数を演算装置により算出する。
（視野欠損指数算出手段である。）
【００３８】
本発明、黄斑領域視野欠損指数算出装置を実現させるプログラムに従い、ＣＰＵ５０１が演算装置により算出する前記視野欠損指数は、主に黄斑領域の視野特性を探査しようとする観点からの視野欠損指数、すなわち黄斑領域視野欠損指数７である。
【００３９】
図６においては、本発明、黄斑領域視野欠損指数算出装置の最良の実施形態による黄斑領域視野欠損指数算出及び視野マッピング画像生成の態様及び画面構成の一例が示されている。
視野探査画面１での静的視標による視野の探査の結果を記録した（本発明、実施の形態における一例である）視野マッピング画面５においては、探査領域に対応する視野マッピング画面の領域６内に、視野探査画面１の探査領域３に設定された探査点４に対する視野探査により得られた結果をマッピングにより視覚的に再現している。
例えば、本発明、実施の形態では、視野探査画面１の探査領域３に設定された探査点４に対する視野探査において、ＣＰＵ５０１は、本発明、黄斑領域視野欠損指数算出装置を実現させるプログラムに従い、静的視標が被験者に視覚認識されなかったとの検出を行った静的視標の表示位置（すなわち、探査点位置）に相当する、探査領域に対応する視野マッピング画面の領域６における位置に、視標視覚認識が不可能であったことを表す印を（視標視覚認識が可能であったことが検出された探査点位置に相当する、探査領域に対応する視野マッピング画面の領域６における位置に、ＣＰＵ５０１により記録される、視標視覚認識可能であったことを表す印に付される色より）暗色で明示的に記録している。
例えば、本発明、実施の形態では、固視標近傍に位置する暗点２０１が、該暗色により画像処理された印の集合により、視野マッピング画面５において、視覚的に再現され、明示的にマッピングされている。
また、例えば、本発明実施の形態では、視野マッピング画面５において、本発明、黄斑領域視野欠損指数算出装置により算出された黄斑領域視野欠損指数７が表示されている。
【図面の簡単な説明】
【００４０】
【図１】本発明、黄斑領域視野欠損指数算出装置の最良の実施形態の構成の一例を表す概略構成図である。
【図２】本発明、黄斑領域視野欠損指数算出装置の最良の実施形態のＣＰＵのハードウェア構成の一例を表す図である。
【図３】本発明、黄斑領域視野欠損指数算出装置の最良の実施形態の探査及び作動態様の一例を示す図である。
【図４】本発明、黄斑領域視野欠損指数算出装置の最良の実施形態による黄斑領域視野欠損指数算出態様の一例を説明する図である。
【図５】本発明、黄斑領域視野欠損指数算出装置の最良の実施形態による黄斑領域視野欠損指数算出態様の一例を説明する図である。
【図６】本発明、黄斑領域視野欠損指数算出装置の最良の実施形態による黄斑領域視野欠損指数算出及び視野マッピング画像生成の態様及び画面構成の一例を示す図である。
【符号の説明】
【００４１】
１  視野探査画面
２  固視標
３  探査領域
４  探査点
５  視野マッピング画面
６  探査領域に対応する視野マッピング画面の領域
７  黄斑領域視野欠損指数
２０１  固視標近傍に位置する暗点
３０１  コンピュータシステム
３０２  本体
３０３  キーボード
３０３Ａ  右矢印カーソルキー
３０３Ｂ  左矢印カーソルキー
３０４  ディスプレイ
３０５  プリンタ
３０６  マウス
３０７  スピーカ
５０１  ＣＰＵ
５０２  ＲＡＭ
５０３  ＲＯＭ
５０４  ＨＤＤ
５０５  バス
【図１】
2010068821.tif 000003
【図２】
2010068821.tif 000004
【図３】
2010068821.tif 000005
【図４】
2010068821.tif 000006
【図５】
2010068821.tif 000007
【図６】
2010068821.tif 000008
【手続補正書】
【提出日】平成20年9月18日(2008.9.18)
【手続補正１】
【補正対象書類名】図面
【補正対象項目名】全図
【補正方法】変更
【補正の内容】
【図１】
2010068821.tif 000009
【図２】
2010068821.tif 000010
【図３】
2010068821.tif 000011
【図４】
2010068821.tif 000012
【図５】
2010068821.tif 000013
【図６】
2010068821.tif 000014